(57)【要約】      （修正有）【課題】負担なく安全にペットとの散歩が楽しめるリードを提供する。【解決手段】前方がひも状リード部１であり、ペット側端に着脱可能な取り付け具５を有し、他方の端は後方の棒状部に接合され、棒状部は前方より棒状リード部２、次に棒を分岐させ手が挿入可能な開口部３を有し、または両端を固定させたバンドに手を挿入して握る持ち手部３であり、その後方には持ち手部３を支点としてリード全体の重量バランス調整をするために、棒１４が突き出した形状をした構成からなるペットリード１５である。【選択図】図１
2012231784.tif 000002
【特許請求の範囲】
【請求項１】
本発明のペットリードは、前方がひも状リード部であり、ペット側端に着脱可能な取り付け具を有し、他方の端は後方の棒状部に接合され、棒状部は前方より棒状リード部、次に棒を分岐させ手が挿入可能な開口部を有し、または両端を固定させたバンドに手を挿入して握る持ち手部であり、その後方には持ち手部を支点としてリード全体の重量バランス調整をするために、棒が突き出した形状となっている。
本発明は、以上の一連一体構造であることを特徴としたペットのクイックリード。
【請求項２】
ひも状リード部と棒状リード部の少なくとも接合部を覆うように、リードの一部または全部に樹脂成形コーティングを施し、徐々に厚みを変化させることを特徴とする請求項１に記載のペットのクイックリード。
【請求項３】
棒状リード部はパイプであり、留め具が側面のスリットに沿ってスライド可能に取り付けられ、スリットには少なくとも最前方と最後方の２か所に留め具固定箇所を設け、ひも状リード部と棒状リード部はパイプ内部で留め具を介して接合することを特徴とした請求項１に記載のペットのクイックリード。
【請求項４】
リードの全体または一部に蛍光をともなう素材を用い、または発光装置を配した請求項１又は請求項２又請求項３に記載のペットのクイックリード。
【請求項５】
棒状部の一部または全部に文字や模様などの装飾を施した請求項１又は請求項２又は請求項３又は請求項４に記載のペットのクイックリード。
【発明の詳細な説明】
【技術分野】
【０００１】本発明は、ペットと一緒に歩行の際、引き綱がペットの足元に絡ませないための発明であり、歩行の安全と誘導し易さを向上させたペットリードに関するものである。
【背景技術】
【０００２】従来、ペット用リードの持ち手の場所は、引き主側端に位置する。また、素材については、革や繊維紐またはチェーンまたはワイヤーなどの単一ひも状のものが一般的である。
ペットの足元への絡み防止を考慮したリードとしては、持ち手のリール操作でひもの長さを調整可能としたリードや、リードの一部を硬化したものも見受けられる。
又、リードを付属する釣竿式のポールや、糞受け具を設けたリード繰り出し装置も見受けられた。
【先行技術文献】
【特許文献】
【０００３】
【特許文献１】特開平１１−１６４６３２
【特許文献２】実用新案第３１０５８０６号
【特許文献３】実用新案第３１４７１２４号
【特許文献４】特許第４１８２１４１号
【発明の概要】
【発明が解決しようとする課題】
【０００４】（イ）従来の紐のリードでは、ペットとの距離が縮まるたびに垂れ下がりペットの足元へ纏わりやすい。
（ロ）従来の紐のリードでは、ペットを誘導の際引き主からの指示がペットに伝わりにくく、人混みなどを歩行する際には通行人に迷惑がかからないように特にペットの動きに気を配らなければならない。
（ハ）先行技術にあるポールを握るタイプの持ち手では、少しでも気を抜けばペットのとっさの動きに反射神経がついていけず、特に前方に強く引っ張られた場合には片手の握力だけでは対応できず、リードを離してしまう可能性がある。
（二）先行技術にある握り持つ場所が棒の端にある場合には、片手では棒を上下左右に振る運動は手首に負担がかかり難しく、腕を動かすか両手を使って操作しなければならない。
（ホ）以上を改善し、より負担なく安全にペットとの散歩が楽しめるリードとする。
【課題を解決するための手段】
【０００５】（イ）（ロ）に対して、ひも状と棒状である異素材を接合して、一連一体構造のペットリード１５と成す。棒状リード２をパイプとし、ひも状リード部１と棒状リード部２との接合部６をスリット８に沿ってパイプ内部をスライドさせリードの全長を調節する。
（ハ）に対して、持ち手部３はとっさの強い引っ張りでリードを落とさないためのストッパー的役割を重視して、棒を分岐させた開口部１３を設けるか、または固定バンド１１に手を通して握る形状とする。
（二）に対して、特に手首を支点としたクイック可動を有効に行うため、持ち手部３の後方に棒を突き出した形状とし、リードバランスをとるための重さ調整部４を設ける。
（ホ）に対して、少なくともひも状リード部１と棒状リード部２との接合部６を覆うように樹脂形成コーティング１０を施し、棒の先端が物や人やペットに当った時の危険性を軽減する。
また、夜間歩行の際にペットの存在を通行人等に周知させるため蛍光をともなう素材又は発光装置１２をリードの１部あるいは全部に施す。
以上の改善に加えて、文字や絵模様などのデザイン１４を棒状の一部あるいは全部に施すなど、一リードとしての一体的なデザイン性も考慮する。
【発明の効果】
【０００６】（請求項１について）図１  図２  図７  図９
ひも状と棒状である異素材を接合して一連一体構造のペットリード１５であり、標準の長さであってもたぶみが生じるひも状リード部１が少なく、持ち手部３の後方にリードバランス調整部４を配置することで、引き主の手首のスナップを効かせて素早く無理なく棒状リード部２を上下左右に角度を自在に動かすことが可能となり、ひも状リード部１のたぶみ調整が瞬時にでき、ペットの足元への纏わりつきの煩わしさから解放される。【０００７】（請求項１について）図１  図２  図７
また、引き主の意思を伝え易い特徴もあり制御機能に優れている。【０００８】（請求項１について）図１  図２  図８  図９
持ち手の後方に突き出した調整部４で重さを調節しリード１５のバランスを取ることで、安定した握り感が得られ、ひも状リード部１のたぶみ調整をしながら、肘を伸ばして楽な姿勢での歩行が可能である。【０００９】（請求項１について）図１  図２  図９（ａ）
本発明のペットリードは片手持ちが基本であり、棒を分岐した開口部１３に手を挿入し、または両端を固定したバンド１１に手を挿入して握る持ち手部３は、ペットがとっさに走り出しても引っ張る力に対するストッパーの役割を果たし、また気を抜いてリードを手から滑り落とす危険性をなくし、安全性に優れている。【００１０】（請求項２について）図３
ひも状リード部１と棒状リード部２の少なくとも接合部６を覆うように、リードの１部または全部に樹脂形成コーティング１０をすれば、異素材間の接合部６を自然に滑らかに移行でき、撓るので誤って棒状部先端が人や物、ペットに接触した時の危険を軽減する。また、リードの形やコーティング素材や色等のデザインも楽しむことができる。【００１１】（請求項３について）図４  図５  図８
棒状リード部２はパイプであり、ひも状リード部１はパイプ内側を通り留め具７を介して棒状リード部２に接合するので、留め具７がスリット８に沿ってスライドした長さ分、ひも状リード部１を短く調節することが可能であり、留め具７の位置を最後方の固定箇所９に合わせば、ひも状リード部１の大部分は棒状リード部２に変身し、請求項１記載のペットリードよりさらにペットを誘導する際の指示は伝わり易く制御機能をより発揮できるようになる。
人混みを同伴歩行する時や、引き主の脇について歩く訓練にも最適である。【００１２】（請求項４について）図６
請求項１、２、３、記載の効果に加え、蛍光素材や発光装置１２を用いることで夜間散歩の際、ペットの存在を通行人等に周知することができ接触の危険性をなくしペットと共に公道を安全に同伴歩行ができる。【００１３】（請求項５について）図１  図２  図３ｂ
請求項１、２、３、４記載の効果に加え、棒状部に文字やデザイン１４の装飾が可能であり、飼い主の趣向に合ったリード選択の幅が広がりペットとの散歩を楽しむことができる。
【図面の簡単な説明】
【００１４】
【図１】実施形態１のペットリードの概略図
【図２】実施形態１のペットリードの概略図
【図３】実施形態２のペットリードのバリエーション概略図（ａ）（ｂ）（ｃ）（ｄ）
【図４】実施形態３のペットリードのスライド状態の比較概略図（ａ）（ｂ）
【図５】実施形態３のペットリードのパイプ内部の拡大概略図
【図６】実施形態４のペットリードのバリエーション概略図（ａ）（ｂ）
【図７】実施形態１のペットリードを手首で角度調節をする様態の比較図（ａ）（ｂ）
【図８】実施形態３のペットリードを最短使用した時の様態を示す図
【図９】実施形態１のペットリードを肘を伸ばして歩行する様態の比較図（ａ）（ｂ）（ｃ）
【発明を実施するための形態】
【００１５】この発明は、持ち手３を握ったときの手首を支点として、スナップを効かせて棒状リード部２の角度を上下左右即座に変え、ひも状リード部１にその動きを伝達することを特徴としているため、持ち手部３の位置や素材には配慮が必要である。
また片手使用を基本としているため、持ち手部３は握力だけに頼らず、引っ張る力に対応するためのストッパー的役割を果たす形状であることが特に重要である。
ひも状リード部１と棒状リード部２の堺となる接合部にコーティング１０することは棒状部の先が誤って人や物やペットにぶつかった時の危険性を軽減するので望ましい。
また、ペットが負担とならないようにリード全体の重量を軽くすることにも配慮する。
以下、実施形態を図に基づいて説明する。
【００１６】実施形態１  図１  図２  図３
ひも状リード部１のペット側の端には、首輪または胴輪と接続可能な取りつけ具５を設け、素材は想定とするペットの引く力を考慮し、繊維素材や、革、ワイヤー、鎖等を用いる。
棒状部の素材として、母材と繊維素材との複合材料を用いれば、多少弾力もあるが折れ曲がらない棒状リード部が得られると思われる。
持ち手部３に必要な握力は、引っ張られる力に比例して必要となるので、万が一リードが引き主から離れることを防止するために、親指以外の４指を通して握る形が重要であり、棒の一部を分岐させ親指を除く４指が無理なく挿入できる開口部１３を設ける。表面は凹凸面にしたりシリコン樹脂のコーティング１０や革ひも等を巻き込むのも有効と思われる。
又、持ち手部に固定させたバンド１１に手を挿入する形では、グリップの厚み調整を行い、バンド１１は手の当りがやさしい革素材等を使用し、グリップはコルク材等を使用すると良い。
最後部に棒が突き出した形状の調整部４は、リード素材の種類や長さや重量、持ち手部３の形などに合わせて、手首の可動を自在とする重さや形を決める必要がある。
【００１７】実施形態２  図３
ひも状リード部１にワイヤーもしくは繊維素材を使用し、接合部６を覆うように滑らかに厚みを変化させ棒状リード部２に移行するようシリコン樹脂コーティング１０を施す。持ち手部３にも同じコーティング１０をすれば握り感覚も良く、デザイン的にも格好の良いリードとなる。（ａ）
また、プラスチック樹脂などで持ち手３と調整部４を一体的に形成しコーティング１０する形も美しい。（ｂ）
また、本発明のリード全体を樹脂コーティング１０し、革バンド１１を備えコルク等の軽く滑り難い素材を配慮した持ち手部３のペットリードは、シンプルである。（ｃ）
また、棒状部をアルミ素材など金属素材で形成し、ひも状リード部１と接合部６を覆うようにコーティング１０を施すことで、素材を活かした高級感のあるリードとなる。（ｄ）
【００１８】実施形態３  図４  図５  図８
図４の棒状部はパイプであり、ひも状リード部１はパイプの中を通り、スリット８をスライドする留め具７を介して固定箇所９でパイプ内側の留め具７と接合部６にて接続し、リード全体の長さ調節を可能とするペットリード。
固定箇所９は、スリットの最前方と最後方とその中間に１か所あり、最前方に留めればリードを標準の長さで使用でき（ａ）、最後方に留めればリードの大部分は棒状リード部２となる（ｂ）。
【００１９】実施形態４  図６
実施形態１のリードの棒状素材部表面と最後部先端にＬＥＤライト１２を配置する。（ａ）
実施形態２の図３（ｃ）のリード全体に蛍光塗料を含有の樹脂コーティング１０をした蛍光リードは夜間も対応でき、スタイリッシュである。（ｂ）
【００２０】実施形態５  図１  図２  図３（ｂ）
ペットリードの持ち手部３の後方に突き出している棒状のバランス調整部４の表面に適応犬種等のデザイン１４を入れたり、棒状部に文字情報を入れるなども楽しい。
【符号の説明】
【００２１】１ひも状リード部  ２棒状リード部  ３持ち手部  ４調整部  ５取り付け具
６接合部  ７留め具  ８スリット  ９固定箇所  １０コーティング  １１バンド
１２ＬＥＤライト  １３開口部  １４デザイン  １５ペットリード
【図１】
2012231784.tif 000003
【図２】
2012231784.tif 000004
【図３】
2012231784.tif 000005
【図４】
2012231784.tif 000006
【図５】
2012231784.tif 000007
【図６】
2012231784.tif 000008
【図７】
2012231784.tif 000009
【図８】
2012231784.tif 000010
【図９】
2012231784.tif 000011
【手続補正書】
【提出日】平成24年2月21日(2012.2.21)
【手続補正１】
【補正対象書類名】特許請求の範囲
【補正対象項目名】全文
【補正方法】変更
【補正の内容】
【特許請求の範囲】
【請求項１】
前方がひも状リード部であり、ペット側端に着脱可能な取り付け具を有し、他方の端は後方の棒状部に接合され、棒状部は前方より棒状リード部、次に棒を分岐させ手が挿入可能な開口部を有し、または両端を固定させたバンドに手を挿入して握る持ち手部であり、その後方は持ち手部を支点としてリード全体の重量バランス調整をするために棒が突き出した形状の調整部であり、以上の一連一体構造であることを特徴としたペットのクイックリード。
【請求項２】
ひも状リード部と棒状リード部の少なくとも接合部を覆うように、リードの一部または全部に樹脂成形コーティングを施し、徐々に厚みを変化させたことを特徴とする請求項１に記載のペットのクイックリード。
【請求項３】
持ち手部は棒を分岐させ手が挿入可能な開口部を有し、または両端を固定させたバンドに手を挿入して握る形状であり、調整部は持ち手部を支点としてリード全体の重量バランス調整をするために持ち手部の後方に棒が突き出した形状であり、棒状リード部はパイプであり、留め具を側面のスリットに沿ってスライド可能に取り付け、スリットには少なくとも２か所の留め具固定箇所を設け、パイプ内部で、留め具とペット側端に着脱可能な取り付け具を有するひも状リード部の他方の端とを接合させたことを特徴としたペットのクイックリード。
【請求項４】
リードの全体または一部に蛍光をともなう素材を用い、または発光装置を配した請求項１又は請求項２又は請求項３に記載のペットのクイックリード。
【請求項５】
棒状部の一部または全部に文字や模様などの装飾を施した請求項１又は請求項２又は請求項３又は請求項４に記載のペットのクイックリード。